(57)【要約】【課題】  車両情報を基本データとして車両搭載のＩＣチップに格納しておくことにより、車体から車両情報を取り出して提供することを可能とし、これによって車両情報取得等に関する車両情報のデータ入力の手間の簡略化および詳細情報の呼び出しで情報管理の統一を図るとともに、利用者による車両情報の選択自由度を増大してその汎用性を向上するようにした車両情報の管理方法を提供する。【解決手段】  車両ＩＣチップを搭載しメーカー名，車種，形状，型式，シフト，グレード，フル型式番号，車台番号，製造年度，型式指定，類別区分，車台番号刻印位置などを記録しておく。専用の読取装置でデータを読み込み車両の各種手続きのための車両データのコンピュータ入力の簡易化，高速化，および正確化を図る。【特許請求の範囲】
【請求項１】
車両の製造過程で車両にＩＣチップを埋め込み、ＩＣチップに車両の車台番号・製造年月日・メーカー・年式・型式・車台番号刻印位置などの基本情報を書き換え不可の情報として記録することで電子情報として容易にコンピュータシステムとの連携を図れるようにするシステム。
【請求項２】
車両の基本情報に加え、外部書き込み装置によって、追記で車検情報、整備情報が記録でき、車両状態の把握を容易にするシステム。
【請求項３】
ＩＣチップは非接触型の読み取り装置で請求項１、請求項２の情報を読み取り、コンピュータへとテキストデータを送信できる構造。
【請求項４】
ＩＣチップ非搭載の既存の車両については、ＩＣチップを後付可能とし、請求項１・請求項２・請求項３の内容を同様に利用できるようにする。
【請求項５】
請求項１の情報は自動車リサイクル法の電子マニフィストで、車両のリサイクルに関連するデータを転送可能とする。
【発明の詳細な説明】
【技術分野】
【０００１】  本発明は、車両に関する事務処理および、車両整備管理を行うに必要な車両情報を記録・取得する方法に関する。
【背景技術】
【０００２】  車両の売買や解体するにあたって車体の諸元などの車両情報が必要となってくる。このように、車両に関わる事務処理にはそれに必要な車両情報が必ず必要になり、正確な車両情報が求められることになる。このため、一般には車検証や諸元表・カタログまたは現車などから目的とする車両の情報を調べることになるが、現車に関する紙資料が紛失しているときなどは現車を直接確認するが車両ごとに情報記録位置が異なるために、この車両情報の調査には車両技術に精通するなどの熟練度を要し、また、多くの時間がかかってしまう。【０００３】  そこで、車両を特定するための識別情報および車両の性能・装備などの諸元情報からなる車両情報をデータベースに構築しておき、識別情報から目的とする車両情報を簡単かつ短時間のうちに表示させることができる車両の流通管理装置や情報管理方法が本出願人によって既に提案されている（特開平１１−３５３３８８号公報、特開２０００−１３２６３１号公報、特開２０００−１３２６３０号公報参照）。従って、かかる情報管理方法を用いる場合、利用者は車両情報を記録した記憶媒体やインターネットなどの通信手段を通じてダウンロードされる車両情報を購入し、これをコンピュータのデータベースに構築しておくことにより車両情報を利用することができる。【０００４】  そして、車両情報をデータベースに構築することにより、利用者は車検証に記載される型式指定番号、類別区分番号またはフル型式番号やその他の識別情報を入力するのみで、データベースの車両情報から目的とする車両の性能や装備などの諸元情報を、熟練度を要することなく正確かつ迅速に表示させて調べることができる。
【発明が解決しようとする課題】
【０００５】  しかしながら、かかる従来の車両の情報管理方法では、データベースに構築されるデータは、現車のみの場合、現車から車体番号等を取得して各種データベースから検索する必要があった
【０００６】  このため、現車から情報を取得する必要があり情報を取得するために、車両知識が必要であるが既存の車台番号の刻印等では車台番号の錆や刻印位置が車両によって異なるので時間がかかってしまった。
【０００７】  そこで、本発明はかかる従来の課題に鑑みて成されたもので、車両の基本情報と追加情報を車両に統一規格で組み込み、これによって車両情報の車両から車両情報を簡易的に取得し、コンピュータ入力等の入力作業を補助し作業の手間の簡易化を図るとともに、利用者による車両情報の選択自由度を増大してその汎用性を向上するようにした車両情報の提供方法を提供することを目的とする。
【課題を解決するための手段】
【０００８】  かかる目的を達成するために本発明の車両情報の提供方法は、車両の識別情報と、車両の性能・装備などの諸元情報からなる車両情報の全てを一連の基本データとして作成し、車両に組み込んだＩＣチップにこの一連の基本データを記録してそのデータを汎用利用することを要旨とする。
【０００９】  また、本発明の車両情報の提供方法は、請求項１・請求項２において記録されたデータを、外部読取装置を用いて取得したものをコンピュータに送信して利用することを要旨とする。
【００１０】  更にまた、本発明の車両情報は、請求項１において識別情報に、車検証に記載される型式指定番号、類別区分番号、型式番号、車台番号およびコーションプレートやカタログなどに記載されるフル型式番号、メーカー名、車種、形状、シフト、グレード、製造年度、新車時車体色、装備品、および車体、エンジン、燃料系、駆動系、足まわり系、操舵系、制動系、車台番号刻印位置として変更不可の情報とする。
【００１１】  更に、本発明の車両情報は、請求項２において車両追加情報を追記可能とし、整備情報、事故情報、車検情報などの情報を記録可能とする。
【００１２】  車検情報に関しては読み取りにはキーを入力しなければ読み取りできないようにする。
【発明を実施するための最良の形態】
【００１３】  以下、本発明の実施形態について、添付図面を参照して詳細に説明する。【００１４】  図１は本発明の車両基本情報の一例を示す。【００１５】  図２は本発明の車両追加情報の一例を示す。【００１６】  図１は本発明の車両基本情報の一例を示し、ＩＣチップ内に保存する車両の基本情報を表している。車両と識別に必須である車台番号のほか、製造メーカー、型式、グレード、など車両カタログに記載される詳細な情報を登録しておく。【００１７】  上記の情報をＩＣチップの読取装置を用いて読み取り、パーソナルコンピュータ当に送信することでキーボード入力を不要とする。【００１８】  車両基本情報は変更負荷で取り付け時に入力した内容を改変できないものとする【００１９】  図２は本発明の車両追加情報の一例を示し、ＩＣチップ内に保存する車両の追加情報を表している。車両整備情報、車両事故情報のほか車両検査証情報を追加登録できるものとする。【００２０】  車両整備情報、車両事故情報は追加書き込みのみ可能で一度書き込んだデータを改変できないものとする。【００２１】  車両整備情報、車両事故情報は追加書き込みのみ可能で一度書き込んだデータを改変できないものとする。【００２２】  車両整備情報は車両整備を行った整備工場が入力可能とする。
図３、図４は本発明のＩＣチップデータ入力の簡易図であり、１はＩＣチップ搭載車両、２はＩＣチップ、３はＩＣチップ管理サーバーをあらわす。整備を行った際は整備工場が１にデータを書き込み、書き込んだ１のデータを３へと登録する。【００２３】  ２破損時は、陸運局などの立会いの元、ＩＣチップの交換、もしくは搭載を行う。【００２４】  ２の交換・及び追加を行う際のデータは、３から１のデータを取得し、新規にＩＣを発行しなおす。
【発明の効果】
【００２５】  以上説明したように本発明の請求項１に示す車両の情報管理方法にあっては、予め車両の諸元情報を車両本体のＩＣチップに記憶してあるため、読み取り機器を使用することで車両から情報を引き出して、対象の車両の諸元を容易に表示させることができる。このとき、車検証および現車、更にはカタログや市販の諸元表等から簡単に調べることが可能であるメーカー名，車種，形状，型式，シフト，グレード，フル型式番号，車台番号，製造年度および新車時車体色の全部または一部を用いたので、車両の諸元情報の取り出しを簡単に行うことができる。従って、膨大な資料の中からその都度調べるという煩わしさと車両情報入力の手間が無くなり、車両の流通管理および事務処理を迅速かつ正確に行うことができる。
【００２６】  また、本発明の請求項２に示す車両の情報管理方法にあっては、車両の整備情報・事故情報などの情報を得ることで車両の価格設定等の管理をより正確に行うことができるという優れた効果を奏する。
【００２７】  既存データを取得して車両の事務処理を行うので電子マニフィストでの誤入力を防ぐ。
【図１】
2010040023.tif 000002
【図２】
2010040023.tif 000003
【図３】
2010040023.tif 000004
【図４】
2010040023.tif 000005
【手続補正書】
【提出日】平成20年10月16日(2008.10.16)
【手続補正１】
【補正対象書類名】明細書
【補正対象項目名】全文
【補正方法】変更
【補正の内容】
【発明の詳細な説明】
【技術分野】
【０００１】  本発明は、車両に関する事務処理および、車両整備管理を行うに必要な車両情報を記録・取得する方法に関する。
【技術背景】
【０００２】  車両の売買や解体するにあたって車体の諸元などの車両情報が必要となってくる。このように、車両に関わる事務処理にはそれに必要な車両情報が必ず必要になり、正確な車両情報が求められることになる。このため、一般には車検証や諸元表・カタログまたは現車などから目的とする車両の情報を調べることになるが、現車に関する紙資料が紛失しているときなどは現車を直接確認するが車両ごとに情報記録位置が異なるために、この車両情報の調査には車両技術に精通するなどの熟練度を要し、また、多くの時間がかかってしまう。
【０００３】  そこで、車両を特定するための識別情報および車両の性能・装備などの諸元情報からなる車両情報をデータベースに構築しておき、識別情報から目的とする車両情報を簡単かつ短時間のうちに表示させることができる車両の流通管理装置や情報管理方法が本出願人によって既に提案されている（特開平１１−３５３３８８号公報、特開２０００−１３２６３１号公報、特開２０００−１３２６３０号公報参照）。従って、かかる情報管理方法を用いる場合、利用者は車両情報を記録した記憶媒体やインターネットなどの通信手段を通じてダウンロードされる車両情報を購入し、これをコンピュータのデータベースに構築しておくことにより車両情報を利用することができる。
【０００４】  そして、車両情報をデータベースに構築することにより、利用者は車検証に記載される型式指定番号、類別区分番号またはフル型式番号やその他の識別情報を入力するのみで、データベースの車両情報から目的とする車両の性能や装備などの諸元情報を、熟練度を要することなく正確かつ迅速に表示させて調べることができる。
【発明が解決しようとする課題】
【０００５】  しかしながら、かかる従来の車両の情報管理方法では、データベースに構築されるデータは、現車のみの場合、現車から車体番号等を取得して各種データベースから検索する必要があった
【０００６】  このため、現車から情報を取得する必要があり情報を取得するために、車両知識が必要であるが既存の車台番号の刻印等では車台番号の錆や刻印位置が車両によって異なるので時間がかかってしまった。
【０００７】  そこで、本発明はかかる従来の課題に鑑みて成されたもので、車両の基本情報と追加情報を車両に統一規格で組み込み、これによって車両情報の車両から車両情報を簡易的に取得し、コンピュータ入力等の入力作業を補助し作業の手間の簡易化を図るとともに、利用者による車両情報の選択自由度を増大してその汎用性を向上するようにした車両情報の提供方法を提供することを目的とする。
【課題を解決するための手段】
【０００８】  かかる目的を達成するために本発明の車両情報の提供方法は、車両の識別情報と、車両の性能・装備などの諸元情報からなる車両情報の全てを一連の基本データとして作成し、車両に組み込んだＩＣチップにこの一連の基本データを記録してそのデータを汎用利用することを要旨とする。
【０００９】  また、本発明の車両情報の提供方法は、請求項１・請求項２において記録されたデータを、外部読取装置を用いて取得したものをコンピュータに送信して利用することを要旨とする。
【００１０】  更にまた、本発明の車両情報は、請求項１において識別情報に、車検証に記載される型式指定番号、類別区分番号、型式番号、車台番号およびコーションプレートやカタログなどに記載されるフル型式番号、メーカー名、車種、形状、シフト、グレード、製造年度、新車時車体色、装備品、および車体、エンジン、燃料系、駆動系、足まわり系、操舵系、制動系、車台番号刻印位置として変更不可の情報とする。
【００１１】  更に、本発明の車両情報は、請求項２において車両追加情報を追記可能とし、整備情報、事故情報、車検情報などの情報を記録可能とする。
【００１２】  車検情報に関しては読み取りにはキーを入力しなければ読み取りできないようにする。
【発明を実施するための最良の形態】
【００１３】  以下、本発明の実施形態について、添付図面を参照して詳細に説明する。【００１４】  図１は本発明の車両基本情報の一例を示す。【００１５】  図２は本発明の車両追加情報の一例を示す。【００１６】  図１は本発明の車両基本情報の一例を示し、ＩＣチップ内に保存する車両の基本情報を表している。車両と識別に必須である車台番号のほか、製造メーカー、型式、グレード、など車両カタログに記載される詳細な情報を登録しておく。【００１７】  上記の情報をＩＣチップの読取装置を用いて読み取り、パーソナルコンピュータ当に送信することでキーボード入力を不要とする。【００１８】  車両基本情報は変更負荷で取り付け時に入力した内容を改変できないものとする【００１９】  図２は本発明の車両追加情報の一例を示し、ＩＣチップ内に保存する車両の追加情報を表している。車両整備情報、車両事故情報のほか車両検査証情報を追加登録できるものとする。【００２０】  車両整備情報、車両事故情報は追加書き込みのみ可能で一度書き込んだデータを改変できないものとする。【００２１】  車両整備情報、車両事故情報は追加書き込みのみ可能で一度書き込んだデータを改変できないものとする。【００２２】  車両整備情報は車両整備を行った整備工場が入力可能とする。
図３、図４は本発明のＩＣチップデータ入力の簡易図であり、１はＩＣチップ搭載車両、２はＩＣチップ、３はＩＣチップ管理サーバーをあらわす。整備を行った際は整備工場が１にデータを書き込み、書き込んだ１のデータを３へと登録する。【００２３】  ２破損時は、陸運局などの立会いの元、ＩＣチップの交換、もしくは搭載を行う。【００２４】  ２の交換・及び追加を行う際のデータは、３から１のデータを取得し、新規にＩＣを発行しなおす。
【発明の効果】
【００２５】  以上説明したように本発明の請求項１に示す車両の情報管理方法にあっては、予め車両の諸元情報を車両本体のＩＣチップに記憶してあるため、読み取り機器を使用することで車両から情報を引き出して、対象の車両の諸元を容易に表示させることができる。このとき、車検証および現車、更にはカタログや市販の諸元表等から簡単に調べることが可能であるメーカー名，車種，形状，型式，シフト，グレード，フル型式番号，車台番号，製造年度および新車時車体色の全部または一部を用いたので、車両の諸元情報の取り出しを簡単に行うことができる。従って、膨大な資料の中からその都度調べるという煩わしさと車両情報入力の手間が無くなり、車両の流通管理および事務処理を迅速かつ正確に行うことができる。
【００２６】  また、本発明の請求項２に示す車両の情報管理方法にあっては、車両の整備情報・事故情報などの情報を得ることで車両の価格設定等の管理をより正確に行うことができるという優れた効果を奏する。
【００２７】  既存データを取得して車両の事務処理を行うので電子マニフィストでの誤入力を防ぐ。
【図面の簡単な説明】
【００２８】
【図１】  ・自動車検査証に記載されている車両情報をＩＣチップに登録するイメージ図です。
【図２】  ・自動車検査証に記載された情報に追加付加される整備情報や事故履歴などの車両履歴情報をＩＣチップに記録するイメージ図です。
【図３】  ・車両製造時の車両情報（車台番号等）と整備工場の整備履歴をＩＣチップに記憶されているイメージ図です。
【図４】  ・ＩＣチップに記憶されている車両製造時の車両情報（車台番号等）と整備工場の整備履歴をＩＣチップリーダーにて読み出すメージ図です。
【符号の説明】
・  図３、４において使用されている番号の説明
１：車本体、２：ＩＣチップ、３：ＩＣチップリーダー（ＩＣチップの情報を読          み出す装置）